(57)【要約】  【課題】  複数のレンズアレイを位相変調法により配列をずらして配置することによって、正面からの潜像は観察できず、傾けて観察した場合における視認性が良好な印刷物を提供するものである。  【解決手段】本発明は、基材の一表面上に、基材と異なるｎ色（ｎは２以上の整数）の画素から成る集合画素が規則的に複数配置された色彩領域と、各画素に積層又は集合画素の各画素に均等にまたがるように積層された透明材料によるレンズ状の画素が、規則的に複数配列されたレンズ領域から成り、レンズ領域は、一部の領域が所定の方向に位相をずらした潜像領域を有して成り、観察角度を変えることで、光の屈折により潜像領域に対応した色彩領域の画素の色と他の色彩領域との色の差により潜像模様が確認できることを特徴とする潜像表示媒体である。  【選択図】  図１
2009113392.tif 000002
【特許請求の範囲】
【請求項１】
基材の一表面上に、基材と異なるｎ色（ｎは２以上の整数）の画素から成る集合画素が規則的に複数配置された色彩領域と、前記各画素に積層又は前記集合画素の各画素に均等にまたがるように積層された透明材料によるレンズ状の画素が、規則的に複数配列されたレンズ領域から成り、前記レンズ領域は、一部の領域が所定の方向に位相をずらした潜像領域を有して成り、観察角度を変えることで、光の屈折により前記潜像領域に対応した前記色彩領域の画素の色と他の色彩領域との色の差により潜像模様が確認できることを特徴とする潜像表示媒体。
【請求項２】
前記潜像領域は、前記レンズ領域において、所定の方向に１／２ピッチ位相をずらして配列されていることを特徴とする請求項１記載の潜像表示媒体。
【請求項３】
基材の一表面上に、基材と異なるｎ色（ｎは２以上の整数）の画素から成る集合画素が規則的に複数配置された色彩領域と、前記各画素に積層又は前記集合画素の各画素に均等にまたがるように積層された透明材料によるレンズ状の画素が、規則的に複数配列されたレンズ領域から成り、前記レンズ領域は、一部の領域が第１の方向に位相をずらした第１の潜像領域と、前記第１の方向とは異なる第２の方向に位相をずらした第２の潜像領域とを有して成り、観察角度を変えることで、光の屈折により前記潜像領域に対応した前記色彩領域の画素の色と他の色彩領域との色の差により二つの潜像模様が確認できることを特徴とする潜像表示媒体。
【請求項４】
前記レンズ領域において、前記第１の潜像領域は、前記第１の方向に１／２ピッチ位相をずらして配列され、前記第２の潜像領域は、第２の方向に１／２ピッチ位相をずらしていることを特徴とする請求項３記載の潜像表示媒体。
【請求項５】
前記レンズ領域において、前記第１の方向及び前記第２の方向とは異なる第ｍ＋１の方向（ｍは２以上の整数）に位相をずらした第ｍ＋１の潜像領域を有して成ることを特徴とする請求項３又は４記載の潜像表示媒体。
【請求項６】
前記色彩領域の画素の径は、１００〜５００μｍであり、前記レンズ領域のレンズ状の画素の径は、２００〜１０００μｍであることを特徴とする請求項１から請求項５のいずれかに記載の潜像表示媒体。
【請求項７】
前記色彩領域と前記レンズ領域の間に、光透過性の中間層を有することを特徴とする請求項１から請求項６のいずれかに記載の潜像表示媒体。
【発明の詳細な説明】
【技術分野】
【０００１】
本発明は、銀行券、株券、債券等の有価証券並びに各種証明書及び重要書類等の偽造防止及び複製防止が必要とされる印刷物に関するものである。
【背景技術】
【０００２】
銀行券、株券、債券等の有価証券並びに各種証明書及び重要書類等の印刷物は、その価値を保証又は維持する必要があるため、特殊な印刷パターンを施した印刷物に、万線フィルタ又はレンチキュラーレンズ等の判別具を重ね合わせることにより潜像模様が発現する印刷物と、該潜像模様の有無を視認することにより印刷物の真偽判別を行う方法がある。
【０００３】
例えば、万線フィルタから成る判別具を重ね合わせることにより潜像模様が発現する印刷物とその真偽判別方法としては、万線画線で印刷した背景画像部と、背景画像部と異なる角度の万線画線で印刷した潜像模様部とを有する印刷物が存在する。当該印刷物の背景画像部と潜像模様部は、区分けして視認することが一見困難であるが、万線フィルタを印刷物に所定の角度で重ね合わせた場合には背景画像部と潜像模様部を区分けして視認できる方法が知られている。
【０００４】
その一例としては、基材上に、レンズアレイ（ハエの目レンズ、ハニカムレンズ、レンチキュラーレンズ等）を重ねることにより画像が現れる画素パターンを構成するそれぞれの画素が、少なくとも２種類以上のスクリーン線数で、かつ、少なくとも２種類以上のスクリーン角度の網点から成る印刷物において、真正物であれば画素パターンを構成するそれぞれの画素の網点面積率が同じであるためレンズアレイを重ねることにより特定画像が現出し、複写物の場合は、コピーすることによりスクリーン線数の大きさ又は網点角度で再現される画素がつぶれ、画素の濃度が変化することにより前記特定画像と異なる画像が現出する印刷物がある（例えば、特許文献１参照）。
【０００５】
また、透明なプラスチック等から成る基材の裏面に、文字及び図形等の模様を印刷により、規則的に複数配列した模様層と、上記基材表面に凹凸の複数の微小なレンズを規則的又は不規則に配列した透明層を積層したことを特徴とする装飾シートがある（例えば、特許文献２参照）。
【０００６】
【特許文献１】特開２００１−３２４９４９号公報
【特許文献２】特開２００４−１７４９９７号公報
【発明の開示】
【発明が解決しようとする課題】
【０００７】
しかしながら、特開２００１−３２４９４９号公報は、判別具を重ね合わせる方向（角度）を印刷物の方向に応じて変える煩わしさがある。また、万線状フィルタ等により形成される画像は、単色の多階調画像に制限されるという問題があった。
【０００８】
さらに、特開２００１−３２４９４９号公報は、入出力解像度の特性を利用したものであり、昨今の複写機やインキジェット複合機等のデジタル機器類における画像の入出力解像度の高精細化又はモアレ低減機能等の補正機能の発達によって、画素パターンがつぶれないように複写又はモアレ低減機能等により、画素濃度の濃淡の発生を抑制するおそれがある。
【０００９】
また、特開２００４−１７４９９７号公報は、潜像を発現させるものではなく、文字等の模様を立体的に形成することが特徴であり、正面から観察した場合には下地に構成した模様が見えてしまうという問題があった。
【課題を解決するための手段】
【００１０】
本発明は、基材の一表面上に、基材と異なるｎ色（ｎは２以上の整数）の画素から成る集合画素が規則的に複数配置された色彩領域と、各画素に積層又は集合画素の各画素に均等にまたがるように積層された透明材料によるレンズ状の画素が、規則的に複数配列されたレンズ領域から成り、レンズ領域は、一部の領域が所定の方向に位相をずらした潜像領域を有して成り、観察角度を変えることで、光の屈折により潜像領域に対応した色彩領域の画素の色と他の色彩領域との色の差により潜像模様が確認できることを特徴とする潜像表示媒体である。
【００１１】
本発明は、潜像領域がレンズ領域において、所定の方向に１／２ピッチ位相をずらして配列されていることを特徴とする潜像表示媒体である。
【００１２】
本発明は、基材の一表面上に、基材と異なるｎ色（ｎは２以上の整数）の画素から成る集合画素が規則的に複数配置された色彩領域と、各画素に積層又は集合画素の各画素に均等にまたがるように積層された透明材料によるレンズ状の画素が、規則的に複数配列されたレンズ領域から成り、レンズ領域は、一部の領域が第１の方向に位相をずらした第１の潜像領域と、第１の方向とは異なる第２の方向に位相をずらした第２の潜像領域とを有して成り、観察角度を変えることで、光の屈折により潜像領域に対応した色彩領域の画素の色と他の色彩領域との色の差により二つの潜像模様が確認できることを特徴とする潜像表示媒体である。
【００１３】
本発明は、レンズ領域において、第１の潜像領域は、第１の方向に１／２ピッチ位相をずらして配列され、第２の潜像領域は、第２の方向に１／２ピッチ位相をずらしていることを特徴とする潜像表示媒体である。
【００１４】
本発明は、レンズ領域において、第１の方向及び第２の方向とは異なる第ｍ＋１の方向（ｍは２以上の整数）に位相をずらした第ｍ＋１の潜像領域を有して成ることを特徴とする潜像表示媒体である。
【００１５】
本発明は、色彩領域の画素の径は、１００〜５００μｍであり、レンズ領域のレンズ状の画素の径は、２００〜１０００μｍであることを特徴とする潜像表示媒体である。
【００１６】
本発明は、色彩領域とレンズ領域の間に、光透過性の中間層を有することを特徴とする潜像表示媒体である。
【発明の効果】
【００１７】
本発明の潜像表示媒体は、複数のレンズ状画素の配列方向の位相をずらして配置しているため、正面から潜像を観察できず、傾けて観察した場合における潜像の明瞭性（判別性）が良好である。
【００１８】
また、本発明の潜像表示媒体は、潜像領域内のレンズ状画素の配列の位相をずらしたことによって、カラーシフト効果を有する潜像を形成することができ、偽造防止効果が高い印刷物が提供できる。
【００１９】
また、本発明の潜像表示媒体は、レンズ状の画素を同一方向に位相変調されて形成されていることから、色彩領域に二色以上のインキを使用した場合には、多階調の潜像を表現することができる。
【００２０】
また、本発明の潜像表示媒体は、レンズ状の画素により潜像を形成しているため、スキャナやコピー機等を使用した複写等による偽造を防止することができる。
【発明を実施するための最良の形態】
【００２１】
以下、本発明の実施を実施するための最良の形態について図面を参照して説明する。しかしながら、本発明は以下に述べる実施するための最良の形態に限定されるものではなく、特許請求の範囲の記載における技術的思想の範囲内であれば、その他の色々な実施の形態が含まれる。
【００２２】
本発明の潜像表示媒体は、規則的に配置されたレンズ状の画素の一部を位相変調によって意図的にずらしているため、正面から観察した場合は潜像を視認することはできないが、媒体を傾けることで潜像が視認できることを特徴としている。
【００２３】
（第１の実施形態）
図１は、基材１上に複数の画素２をマトリクス状に配列している。一例として、画素２は、イエロー（以下「Ｙ」という。）２Ｙ、マゼンタ（以下「Ｍ」という。）２Ｍ、シアン（以下「Ｃ」という。）２Ｃ、グリーン（以下「Ｇ」という。）２Ｇの各色の画素をマトリクス状に複数配列しており、これらの領域を色彩領域３とする。また、画素２は、一例として各画素を規則的に配列したものであり、色彩領域３として、文字、記号又は図形等の配列にすることもできる。
【００２４】
図２は、画素２の上に形成するレンズ状の画素として、凸レンズを複数配列した一例であるレンズ領域４の平面図を示すものである。図２（ａ）に示すように、レンズ領域４は、凸レンズ４ａと凸レンズ４ｂにより形成されている。なお、レンズ領域４の領域にある第１の潜像領域５は、凸レンズ４ｂにより形成されている。また、図２（ｂ）に示すように、第１の潜像を形成する凸レンズ４ｂは、凸レンズ４ａの配列に対して位相をＸ方向にずらして配置している。なお、第１の潜像領域５は、文字の「１」を形成している。
【００２５】
凸レンズ４ａと凸レンズ４ｂは、色、形状、大きさ及びピッチ（間隔）が同一、かつ、透明であることが望ましい。また、凸レンズ４ａと凸レンズ４ｂの作製は、樹脂の型押し又はスクリーン印刷で容易に作製することができる。なお、色彩領域の画素２とレンズ領域の凸レンズ４ａ又は凸レンズ４ｂとのピッチとの関係は、画素２に対する凸レンズ４ａのピッチは一致しており、画素２に対する凸レンズ４ｂは半ピッチずれている。
【００２６】
図３は、本発明の潜像表示媒体Ａ１を示す図である。図３（ａ）の平面図に示すように、潜像表示媒体Ａ１は、レンズ領域４と第１の潜像領域５を有している。図３（ｂ）は、潜像表示媒体Ａ１の断面図である。図３（ｂ）に示すように、凸レンズ４ｂの配置は、凸レンズ４ａの配置に対して半ピッチずれて配置されている。
【００２７】
図４は、潜像表示媒体Ａ１の観察状態を示す概略図である。図４（ａ）に示すように、潜像表示媒体Ａ１を正面から観察した場合は、第１の潜像領域５から成る「１」の文字を視認することはできない。これは、凸レンズ４ａ及び凸レンズ４ｂは透明で、かつ、光の屈折が少ないため、正面から見た場合は、画素２の色調をそのまま視認することができるためである。一方、図４（ｂ）に示すように、潜像表示媒体Ａ１を傾けて視認した場合は、周辺のレンズ領域４の凸レンズ４ａと第１の潜像領域５の凸レンズ４ｂは、視認する角度により異なる色で視認できるため、「１」の文字を潜像として視認することができる。
【００２８】
次に、本発明の原理について、色彩領域の画素とレンズ状領域の画素との関係から図を用いて簡単に説明する。
図５は、本発明の原理の一例を簡単に示す概略図であり、潜像表示媒体Ａ１の各方向における視認状態を説明するものである。レンズ状の画素は、色彩領域の各画素に積層又は色彩領域の集合画素の各画素に均等にまたがるように積層することが好ましい。一例として、図５に示すように凸レンズ４ａをＹ、Ｃ、Ｍ，Ｇの順で形成される各画素の格子線の中央に配置し（各画素に均等）、凸レンズ４ｂをＧ、Ｍ、Ｃ、Ｙの順で形成される各画素の格子線の中央に配置し、ＡからＤの方向で確認する。正面から観察した場合は、凸レンズ４ａと凸レンズ４ｂは、各画素の中央に配置されているため、４色の色調を視認することができる。一方、表に示すように、基材１に対して、斜めで異なる方向により観察した場合は、凸レンズ４ａと凸レンズ４ｂは各色の画素２に対する配置位置が異なるため、確認する方向によりそれぞれ異なる色彩となる。なお、格子線は、色彩領域の画素とレンズ領域の画素との位置関係（均等）を説明するため、便宜上設けたものである。
【００２９】
そのため、凸レンズ４ｂにより形成された第１の潜像領域５は、第１の潜像領域５の周辺である凸レンズ４ａにより形成されているレンズ領域４と確認する方向によりそれぞれ異なる色彩となるため、レンズ領域４と第１の潜像領域５の色調を区別することができる。よって、第１の潜像領域５は、正面から観察しても周辺のレンズ領域４と区別することはできないが、観察角度を変化させることにより視認することができる。
【００３０】
【表１】
2009113392.tif 000003
【００３１】
（第２の実施形態）
図６は、本発明の第２の実施形態である潜像印刷物Ａ２を示す平面図である。第２の実施形態は、第１の実施形態の第１の潜像領域５に、更に異なる第２の潜像領域６を設けた例であり、ここでは、特に異なる構成のみを説明する。図６（ａ）に示すように、凸レンズ４ａは、レンズ領域４を形成している。また、凸レンズ４ｂは、「１」の文字から成る第１の潜像領域５を形成している。さらに、凸レンズ４ｃは、潜像領域５内に第２の潜像領域６を有している。図６（ｂ）に示すように、凸レンズ４ｃは、凸レンズ４ｂの横方向（Ｘ方向）の配列において同一延長線上（又は同一直線上）に配置している。
【００３２】
しかし、縦方向（Ｙ方向）の配列においては、凸レンズ４ｂの同一延長線上（又は同一直線上）に配置しておらず、凸レンズ４ｂの配置位置に対して位相変調によりずらして配置している。また、凸レンズの形状、大きさ、ピッチ及び色は、同一である。なお、ここでは、説明しやすいように凸レンズの位相変調の方向をＸＹ方向としているが、位相変調する凸レンズが規則的に配列されていれば、位相変調の方向はＸＹ方向に限るものではない。
【００３３】
次に、図７により本発明の潜像印刷物Ａ２について説明する。
図７（ａ）に示すように、潜像表示媒体Ａ２を正面から観察した場合、第１の潜像領域５と第２の潜像領域６は、周辺のレンズ領域４と区別して視認することはできない。一方、図７（ｂ）に示すように、潜像表示媒体Ａ２を傾けて観察した場合は、第１の潜像領域５と第２の潜像領域６はそれぞれ、周辺のレンズ領域４とは異なる色調に変化するため、第１の潜像領域５から成る「１」の文字と、第２の潜像領域６から成る「Ｔ」の文字との二つの潜像が視認することができる。
【００３４】
なお、図７（ｃ）は、潜像表示媒体Ａ２の基材１上及び／又は画素２上に透明中間層８を積層し、透明中間層８上にレンズ領域４を形成した一例である。透明中間層８を設けることによって、画素２からレンズ領域４までの距離が透明中間層８の厚み分長くなるため、観察角度による焦点の移動量が大きくなり潜像の変色効果を高めることができる。
【００３５】
潜像表示媒体Ａ１及びＡ２に使用される基材１は、紙、プラスチック、フィルム、金属板等、特に限定されるものではないが、プラスチックや上質紙等の光沢度の高いものが望ましい。光沢度の高いほうが、潜像が明瞭に発現するからである。
【００３６】
潜像表示媒体Ａ１及びＡ２の色彩領域３の画素の大きさ（高さ及び幅）と配置間隔（ピッチ）は、Ｙ、Ｍ、Ｃ、Ｇの４色としたが、特に限定されるものではない。また、形状を正方形としているが、規則的に配置されていれば、特に限定されず、円形、正方形、長方形、楕円又は多角形等の形状にすることができる。また、色彩領域３を印刷する印刷方式は、オフセット印刷方式、グラビア印刷方式、スクリーン印刷方式、フレキソ印刷方式、インキジェットプリンタ、レーザプリンタ等を使用することができるため、特に限定されるものではない。
【００３７】
潜像表示媒体Ａ１及びＡ２の画素２の印刷に使用されるインキは、特に限定されず、公知の材料を使用することができる。また、色彩領域３を印刷する印刷方式は、オフセット印刷方式、グラビア印刷方式、スクリーン印刷方式、フレキソ印刷方式、インキジェットプリンタ、レーザプリンタ等を使用することができるため、特に限定されるものではない。
【００３８】
潜像表示媒体Ａ１及びＡ２のレンズ状の画素の形状は、一例として半球状の凸レンズとしているが、レンズ状の画素の形状は特に限定されず、円形、正方形、長方形、楕円又は多角形等の形状にすることができる。また、各レンズの形状は、すべて同一とすることが望ましいが、特に限定されるものではない。また、潜像表示媒体Ａ１及びＡ２のレンズ状の画素の配置間隔は、水平方向と垂直方向を同一としたが、特に限定されるものではない。
【００３９】
本発明の潜像表示媒体Ａ１及びＡ２におけるレンズ領域と第１の潜像領域及び第２の潜像領域のデザインは、文字、数字、記号、絵柄等は特に限定されるものではなく、任意の絵柄等を使用することができる。
【００４０】
本発明の潜像表示媒体Ａ１及びＡ２におけるレンズ領域と第１の潜像領域及び第２の潜像領域は、光透過性を有すればよく、公知のインキや樹脂等を使用することができる。また、レンズ領域と潜像領域の形成は、スクリーン印刷や型押し等の公知の方法を使用することができる。
【００４１】
また、本発明の潜像表示媒体の中間層は、光透過性を有する材料であれば、特に限定されず、ＰＥＴ、ラミネート、プラスチック等の公知の材料を使用することができる。また、中間層の形成は、スクリーン印刷等を使用することができる。なお、中間層の厚みは、レンズの曲率に合わせて選択することが好ましい。
【実施例】
【００４２】
以下、前述した本発明の潜像表示媒体について、具体的な実施例を挙げて詳細に説明する。
【００４３】
（実施例１）
図８を用いて、基材１に異なる４色のインキ（Ｃ、Ｍ、Ｙ、Ｇ）を使用した画素２により形成した色彩領域３と、微小な透明凸レンズ４ａを規則的に配置して形成したレンズ領域４と、凸レンズ４ａの配置方向に対して位相変調して配列した凸レンズ４ｂにより形成した第１の潜像領域５から成る潜像を形成した潜像表示媒体Ｂ２について説明する。
【００４４】
具体的には、図８（ａ）に示すように、基材１として市販の写真用紙を使用し、画素２をＣ、Ｍ、Ｙ、Ｇの４色のインキを用いて市販のインキジェットプリンタにより印刷して色彩領域３を形成した。画素２は、1辺の長さを２５０μmの正方形として４色の画素２を格子状に配置した。画素２の配置間隔は、水平方向及び垂直方向ともにピッチを５００μmとした。
【００４５】
図８（ｂ）に示すように、凸レンズ４ａと凸レンズ４ｂは、スクリーン印刷により、透明厚盛り用インキ（帝国インキ社製UVPOT50209点字用クリヤー）を１２５メッシュスクリーン版面を使用し、直径４００μmの半球状の凸レンズとして、それぞれレンズ領域４と第１の潜像領域５を形成した。なお、凸レンズ４ａのピッチは、画素２に対応させるため５００μmで配列した。一方、凸レンズ４ｂのピッチは、周辺のレンズ領域４に対して約半ピッチＸの方向にずらして配列した。そして、図８（ｃ）に示すように、画素２上に印刷して潜像表示媒体Ｂ１を作成した。
【００４６】
図８（ｄ）に示すように、潜像表示媒体Ｂ１を正面から観察した場合は、レンズ４と第１の潜像領域５を区別して視認することができなかった。一方、図８（ｅ）に示すように、潜像表示媒体Ｂ１を傾けて観察した場合は、第１の潜像領域５は視野角度及び観察方向により周辺のレンズ領域４と異なる色で発現し、潜像として観察することができた。
【００４７】
（実施例２）
次に、図９を用いて凸レンズ４ｂを凸レンズ４ａの所定のピッチからＸ方向に半ピッチずらして形成した第１の潜像領域５と、ＸＹ方向に半ピッチずらすことにより形成した第２の潜像領域６と、Ｙ方向に半ピッチずらすことにより形成した第３の潜像領域７の三つの潜像領域を形成した潜像表示媒体Ｂ２の例について説明する。なお、基材、使用インキ、印刷方式、色彩領域等は、潜像表示媒体Ｂ１と同様であるため、異なる部分のみ説明する。
【００４８】
具体的には、凸レンズ４ｂの配列は、凸レンズ４ａのピッチからＸ方向に半ピッチずらして配列して第１の潜像領域５を形成した。凸レンズ４ｄの配列は、凸レンズ４ａのピッチからＹ方向に半ピッチずらして配列して第３の潜像領域７を形成した。一方、凸レンズ４ｃの配列は、凸レンズ４ａの所定のピッチからＸ方向及びＹ方向に半ピッチずらして配列し、第２の潜像領域６を形成した。
【００４９】
図９（ａ）に示すように、潜像表示媒体Ｂ１を正面から観察した場合は、周辺のレンズ領域４、第１の潜像領域５、第２の潜像領域６、第７の潜像領域８をそれぞれ区別して視認することができなかった。一方、図９（ｂ）に示すように、潜像表示媒体Ｂ２を傾けて観察した場合は、周辺のレンズ領域４、第１の潜像領域５、第２の潜像領域６及び第３の潜像領域７は視野角度及び観察方向により、それぞれ異なる色で発現し、潜像を観察することができた。
【００５０】
（実施例３）
次に、図１０を用いて基材１上及び／又は画素２上に透明中間層８を作製し、透明中間層８上にレンズ領域４及び第１の潜像領域５を作製した潜像表示媒体Ｂ３について説明する。なお、基材、使用インキ、色彩領域３、レンズ領域４等の各領域の形成は、潜像表示媒体Ｂ１及びＢ２と同様であるため、異なる部分のみ説明する。
【００５１】
具体的には、透明中間層８として厚さ０．８ｍｍのＰＥＴ製透明フィルムを使用し、フィルム上に実施例１で示した直径４００μmの半球状の凸レンズ４ａから成るレンズ領域４と凸レンズ４ｂから成る第１の潜像領域５をそれぞれ作製した。
【００５２】
潜像表示媒体Ｂ３は、透明中間層８を設けることによって、色彩領域３から凸レンズ４ａ及び凸レンズ４ｂまでの距離が透明中間層８の厚み分長くなることによって、観察角度による焦点の移動量が大きくなり、潜像の変色効果が高まった。
【図面の簡単な説明】
【００５３】
【図１】色彩領域の一実施例を示す平面図
【図２】レンズ領域の平面図とその一部拡大図
【図３】潜像表示媒体Ａ１の平面図とその一部断面図
【図４】潜像表示媒体Ａ１の潜像を示す平面図
【図５】本発明の原理を示す概略図
【図６】潜像表示媒体Ａ２の平面図とその一部拡大図
【図７】潜像表示媒体Ａ２の潜像を示す平面図
【図８】潜像表示媒体Ｂ１を示す平面図
【図９】潜像表示媒体Ｂ２を示す平面図
【図１０】潜像表示媒体Ｂ３を示す平面図
【符号の説明】
【００５４】
Ａ１、Ａ２、Ｂ１、Ｂ２、Ｂ３  潜像表示媒体
Ｘ      変位
Ｙ      変位
１      基材
２      画素
２Ｃ  （シアンの画素）
２Ｍ  （マゼンタの画素）
２Ｙ  （イエローの画素）
２Ｇ  （グリーンの画素）
３      色彩領域
４      レンズ領域
５      第１の潜像領域
６      第２の潜像領域
７      第３の潜像領域
８      透明中間層
４ａ、４ｂ、４ｃ、４ｄ  凸レンズ
【図１】
2009113392.tif 000004
【図２】
2009113392.tif 000005
【図３】
2009113392.tif 000006
【図４】
2009113392.tif 000007
【図５】
2009113392.tif 000008
【図６】
2009113392.tif 000009
【図７】
2009113392.tif 000010
【図８】
2009113392.tif 000011
【図９】
2009113392.tif 000012
【図１０】
2009113392.tif 000013